(57)【特許請求の範囲】
【請求項１】
電話交換機と接続する交換機インタフェースと、ＩＰ網と接続するＩＰインタフェースとを有し、前記交換機インタフェース及び前記ＩＰインタフェース間で呼制御信号及び音声信号を送受信するＶｏＩＰトランク装置であって、
前記ＩＰインタフェースに付与された複数のＩＰアドレスと、
前記交換機インタフェースに接続する複数の回線に関わる回線番号と当該回線の使用状況をそれぞれ対応づけて記憶する記憶手段と、
前記ＩＰインタフェースを通じて前記ＩＰ網からのＩＰアドレスを受信すると、このＩＰアドレスに対応した前記回線番号を前記記憶手段から検索する検索手段と、
前記交換機インタフェースを通じて前記検索手段にて検索された前記回線番号の回線の使用状況を判断し、前記回線が空きであると判断したときには前記回線への着信動作を実行し、前記回線が使用中であると判断したときには、当該ＩＰアドレスに対応付けて前記記憶手段に記憶された回線番号のうち、前記使用中の回線とは別の回線番号の回線を検索し検索された別の回線の使用状況を判断し、別の回線が空きであると判断したときには前記別の回線への着信動作を実行する制御手段と、
前記制御手段で前記着信動作が実行できる回線番号に対応した回線が全てないと判断されると、前記ＩＰ網に着信動作が実行できないことを通知する第二の制御手段とを有することを特徴とするＶｏＩＰトランク装置。
【発明の詳細な説明】
【０００１】
【発明の属する技術分野】
本発明は、例えばＩＰ網上で音声信号を送受信するボイスオーバーＩＰ（以下、単にＶｏＩＰと称する）を実現する機能を備えたＶｏＩＰトランク装置に関する。
【０００２】
【従来の技術】
図６は従来のＶｏＩＰを採用した電話交換システム内部の概略構成を示すブロック図である。
【０００３】
図６に示す電話交換システム１００は、ＩＰ網１０１と接続するルータ１０２と、内線電話機１０３を収容接続する電話交換機（以下、単にＰＢＸと称する）１１０と、ルータ１０２及びＰＢＸ１１０間を通信接続するＶｏＩＰゲートウェイ１２０とを有している。
【０００４】
ＰＢＸ１１０は、内線電話機１０３を収容接続する内線回路（以下、単にＬＩＮと称する）１１１と、ＶｏＩＰゲートウェイ１２０を収容接続する専用線トランク（以下、単にＯＤＴと称する）１３０と、ＬＩＮ１１１及びＯＤＴ１３０間で通話路を形成する時分割スイッチ（以下、単にＴＳＷと称する）１１２と、様々なプログラム等を格納するメモリ部（以下、単にＭＭと称する）１１３と、このＰＢＸ１１０全体を制御する中央制御処理部（以下、単にＣＰＵと称する）１１４とを有している。尚、ＶｏＩＰゲートウェイ１２０は、ＰＢＸ１１０に対して外付としている。
【０００５】
図７はＯＤＴ１３０及びＶｏＩＰゲートウェイ１２０内部の概略構成を示すブロック図である。
【０００６】
図７においてＯＤＴ１３０は、ＰＢＸ１１０及びＯＤＴ１３０間でＰＢＸ用ディジタル呼制御信号及びＯＤＴ用ディジタル呼制御信号を相互変換する機能や、ＰＢＸ用ディジタル音声信号及びＯＤＴ用ディジタル音声信号を相互変換する機能を備えたＯＤＴ側信号変換部１３１と、様々なプログラム等を格納するＯＤＴ側ＲＯＭ１３２と、プログラム作業用のＯＤＴ側ＲＡＭ１３３と、ＯＤＴ１３０及びＶｏＩＰゲートウェイ１２０間で、ＯＤＴ用ディジタル呼制御信号をＯＤＴ用アナログ呼制御信号に変換する機能や、ゲート用アナログ呼制御信号をＯＤＴ用ディジタル呼制御信号に変換する機能を備えたＯＤＴ側呼制御変換部１３４と、ＯＤＴ１３０及びＶｏＩＰゲートウェイ１２０間で、ＯＤＴ用ディジタル音声信号をＯＤＴ用アナログ音声信号に変換する機能や、ゲート用アナログ音声信号をＯＤＴ用ディジタル音声信号に変換する機能を備えたＯＤＴ側音声変換部１３５と、このＯＤＴ１３０全体を制御するＯＤＴ側ＭＰＵ１３６とを有している。尚、ＯＤＴ側音声変換部１３５は、例えばＰＢＸ１１０からのクロック信号に基づいて同期をとっている。
【０００７】
ＶｏＩＰゲートウェイ１２０は、ルータ１０２と接続するＬＡＮインタフェース１２１と、音声信号を圧縮・伸長するＤＳＰ１２２と、プログラム格納用のゲート側ＲＯＭ１２３と、プログラム作業用のゲートウェイ側ＲＡＭ１２４と、ＩＰ網１０１及びＶｏＩＰゲートウェイ１２０間で、ゲート用ディジタル呼制御信号及びＩＰ用ディジタル呼制御信号に相互変換する機能や、ゲート用ディジタル音声信号及びＩＰ用ディジタル音声信号に相互変換する機能を備えたゲート側信号変換部１２５と、ＯＤＴ１３０及びＶｏＩＰゲートウェイ１２０間で、ＯＤＴ用アナログ呼制御信号をゲート用ディジタル呼制御信号に変換する機能や、ゲート用ディジタル呼制御信号をゲート用アナログ呼制御信号に変換する機能を備えたゲート側呼制御変換部１２６と、ＯＤＴ１３０及びＶｏＩＰゲートウェイ１２０間で、ＯＤＴ用アナログ音声信号をゲート用ディジタル音声信号に変換する機能や、ゲート用ディジタル音声信号をゲート用アナログ音声信号に変換する機能を備えたゲート側音声変換部１２７と、このＶｏＩＰゲートウェイ１２０全体を制御するＯＤＴ側ＭＰＵ１２８とを有している。
【０００８】
次に従来の電話交換システム１００の動作について説明する。
【０００９】
まず、ＶｏＩＰゲートウェイ１２０におけるＩＰ網１０１への発信時における動作について説明する。
【００１０】
ＶｏＩＰゲートウェイ１２０のゲート側呼制御変換部１２６は、ＯＤＴ１３０からＯＤＴ用アナログ呼制御信号を受信すると、このＯＤＴ用アナログ呼制御信号をゲート用ディジタル呼制御信号に変換する。さらに、ゲート側信号変換部１２５は、このゲート用ディジタル呼制御信号をＩＰ用ディジタル呼制御信号に変換する。
【００１１】
ＬＡＮインタフェース１２１は、このＩＰ用ディジタル呼制御信号をパケット化し、このパケット化した呼制御信号を、ルータ１０２を通じてＩＰ網１０１の対向装置に伝送する。従って、対向装置は、この呼制御信号に基づいて呼設定を行うものである。
【００１２】
また、ＶｏＩＰゲートウェイ１２０のゲート側音声変換部１２７は、ＯＤＴ１３０からＯＤＴ用アナログ音声信号を受信すると、このＯＤＴ用アナログ音声信号をＰＣＭ符号化することでゲート用ディジタル音声信号に変換する。さらに、ゲート側信号変換部１２５は、このゲート用ディジタル音声信号をＩＰ用ディジタル音声信号に変換する。
【００１３】
ＤＳＰ１２２は、このＩＰ用ディジタル音声信号を圧縮する。ＬＡＮインタフェース１２１は、このＤＳＰ１２２で圧縮したＩＰ用ディジタル音声信号をパケット化し、このパケット化した音声信号を、ルータ１０２を通じてＩＰ網１０１の対向装置に伝送するものである。
【００１４】
次にＶｏＩＰゲートウェイ１２０におけるＩＰ網１０１からの受信時における動作について説明する。
【００１５】
ＶｏＩＰゲートウェイ１２０のＬＡＮインタフェース１２１は、ルータからパケット化された呼制御信号を受信すると、この呼制御信号をパケット分解してＩＰ用ディジタル呼制御信号を出力する。ゲート側信号変換部１２５は、ＩＰ用ディジタル呼制御信号をゲート用ディジタル呼制御信号に変換する。ゲート側呼制御変換部１２６は、ゲート用ディジタル呼制御信号をゲート用アナログ呼制御信号に変換し、このゲート用アナログ呼制御信号をＯＤＴ１３０に出力する。従って、ＯＤＴ１３０では、このゲート用アナログ呼制御信号を、ＯＤＴ側呼制御変換部１３４を通じてＯＤＴ用ディジタル呼制御信号に変換することで、通常のＯＤＴ１３０への呼制御受信とみなして、ＰＢＸ１１０側で呼設定を行う。
【００１６】
さらに、ＶｏＩＰゲートウェイ１２０のＬＡＮインタフェース１２１は、ルータからパケット化された音声信号を受信すると、この音声信号をパケット分解してＩＰ用ディジタル音声信号を出力する。ＤＳＰ１２２は、このＩＰ用ディジタル音声信号を伸長する。
【００１７】
ゲート側信号変換部１２５は、このＩＰ用ディジタル音声信号をゲート用ディジタル音声信号に変換する。ゲート側音声変換部１２７は、このゲート用ディジタル音声信号をゲート用アナログ音声信号に変換し、このゲート用アナログ音声信号をＯＤＴ１３０に出力する。従って、ＯＤＴ１３０では、このゲート用アナログ音声信号を、ＯＤＴ側音声変換部１３５を通じてＯＤＴ用アナログ音声信号に変換することで、ＰＢＸ１０側では通常のＯＤＴへの音声受信とみなす。
【００１８】
このように従来の電話交換システム１００によれば、ＰＢＸ１１０のＯＤＴ１３０がＶｏＩＰゲートウェイ１２０を介してＩＰ網１０１と接続することで、ＰＢＸ１１０及びＩＰ網１０１間の音声信号の送受信を実行するＶｏＩＰの実現を図ることができる。
【００１９】
また、このようにＶｏＩＰを実現するためにＶｏＩＰゲートウェイ１２０は、ＩＰ網１０１側から予め一つのＩＰアドレスが付与されている。
【００２０】
例えばＰＢＸ１１０が複数の内線電話機１０３を収容している場合、ＩＰ網１０１側の発信端末としての対向装置は、このＩＰアドレスに基づいて特定のＶｏＩＰゲートウェイ１２０に対して着信を行うことができ、ＯＤＴ１３０を通じて、ＩＰ網１０１からのＶｏＩＰ着信を検出すると、ＰＢＸ１１０のＣＰＵ１１４では、複数の内線電話機１０３から任意の内線電話機１０３を選んで、この選ばれた内線電話機１０３に着信することで、ＶｏＩＰを実行するものである。
【００２１】
このように従来の電話交換システム１００によれば、ＰＢＸ１１０のＣＰＵ１１４にて、ＩＰ網１０１からＶｏＩＰゲートウェイ１２０へのＶｏＩＰ着信を、ＯＤＴ１３０を通じて検出すると、複数の内線電話機１０３から任意の内線電話機１０３を選んで、この選ばれた内線電話機１０３にＶｏＩＰ着信を行うことができる。
【００２２】
【発明が解決しようとする課題】
しかしながら、上記従来の電話交換システム１００によれば、ＶｏＩＰゲートウェイ１２０に付与されるＩＰアドレスは一つであることから、ＩＰ網１０１側の発信端末としての対向装置は、このＩＰアドレスに基づいてＶｏＩＰ着信対象の内線電話機１０３を収容するＶｏＩＰゲートウェイ１２０を特定することができるが、ＶｏＩＰゲートウェイ１２０後段の、どの内線電話機１０３に割り当てるか否かはＰＢＸ１１０の制御に依存することから、ＩＰ網１０１側の対向装置では、ＶｏＩＰ着信対象の内線電話機１０３を特定することができない。
【００２３】
本発明は上記点に鑑みてなされたものであり、その目的とするところは、電話交換機に収容接続する複数の内線電話機の内、ＶｏＩＰ着信対象の内線電話機をＩＰ網側の発信端末から特定することができるＶｏＩＰトランク装置を提供することにある。
【００２４】
【課題を解決するための手段】
上記目的を達成するために本発明のＶｏＩＰトランク装置は、電話交換機と接続する交換機インタフェースと、ＩＰ網と接続するＩＰインタフェースとを有し、前記交換機インタフェース及び前記ＩＰインタフェース間で呼制御信号及び音声信号を送受信するＶｏＩＰトランク装置であって、前記ＩＰインタフェースに付与された複数のＩＰアドレスと、前記交換機インタフェースに接続する複数の回線に関わる回線番号と当該回線の使用状況をそれぞれ対応づけて記憶する記憶手段と、前記ＩＰインタフェースを通じて前記ＩＰ網からのＩＰアドレスを受信すると、このＩＰアドレスに対応した前記回線番号を前記記憶手段から検索する検索手段と、前記交換機インタフェースを通じて前記検索手段にて検索された前記回線番号の回線の使用状況を判断し、前記回線が空きであると判断したときには前記回線への着信動作を実行し、前記回線が使用中であると判断したときには、当該ＩＰアドレスに対応付けて前記記憶手段に記憶された回線番号のうち、前記使用中の回線とは別の回線番号の回線を検索し検索された別の回線の使用状況を判断し、別の回線が空きであると判断したときには前記別の回線への着信動作を実行する制御手段と、前記制御手段で前記着信動作が実行できる回線番号に対応した回線が全てないと判断されると、前記ＩＰ網に着信動作が実行できないことを通知する第二の制御手段とを有するようにした。
【００２５】
従って、本発明のＶｏＩＰトランク装置によれば、ＩＰインタフェースに付与された複数のＩＰアドレスと、前記交換機インタフェースに接続する複数の電話回線に関わる電話番号とを夫々対応づけて記憶手段に記憶しておき、前記ＩＰインタフェースを通じて前記ＩＰ網からのＩＰアドレスを受信すると、このＩＰアドレスに対応した電話番号を前記記憶手段から検索し、この検索された電話番号に関わる電話回線への着信動作を実行するようにしたので、電話回線（内線電話機）毎にＩＰアドレスを付与することで、交換機インタフェースに接続する複数の電話回線（内線電話機）の内、ＶｏＩＰ着信対象の電話回線（内線電話機）をＩＰ網側（ＩＰ網側の発信端末）から特定することができる。
【００２６】
【発明の実施の形態】
以下、図面に基づいて本発明のＶｏＩＰトランク装置に関わる実施の形態を示す電話交換システムについて説明する。図１は本実施の形態を電話交換システム内部の概略構成を示すブロック図である。
【００２７】
図１に示す電話交換システム１は、ＩＰ網２と接続するルータ３と、このルータ３及び、複数の内線電話機４を収容接続するＰＢＸ１０とを有している。
【００２８】
ＰＢＸ１０は、複数の内線電話機４を収容接続するＬＩＮ１１と、ルータ３を収容接続するＶｏＩＰトランク装置（以下、単にＶｏＩＰＴと称する）２０と、ＬＩＮ１１及びＶｏＩＰＴ２０間で通話路を形成するＴＳＷ１２と、様々なプログラム等を格納するＭＭ１３と、このＰＢＸ１０全体を制御するＣＰＵ１４とを有している。
【００２９】
図２はＶｏＩＰＴ２０内部の概略構成を示すブロック図である。
【００３０】
図２に示すＶｏＩＰＴ２０は、ルータ３と接続するＬＡＮインタフェース２１と、ＰＢＸ１０及びＬＡＮインタフェース２１間のインタフェースを司るＶｏＩＰＴインタフェース２２と、様々な情報を入出力する入出力部２３と、プログラム格納用のＲＯＭ２４と、プログラム作業用のＲＡＭ２５と、このＶｏＩＰＴ２０全体を制御するＭＰＵ２６と、これらＶｏＩＰＴインタフェース２２、入出力部２３、ＲＯＭ２４、ＲＡＭ２５及びＭＰＵ２６間で制御データを伝送する制御バス２７とを有している。
【００３１】
図３はＶｏＩＰＴインタフェース２２内部の概略構成を示すブロック図である。
【００３２】
ＶｏＩＰＴインタフェース２２は、ＴＳＷ１２と接続するＯＤＴ側インタフェース３０と、ルータ３と接続するゲート側インタフェース４０とを有している。
【００３３】
ＯＤＴ側インタフェース３０は、ＰＢＸ１０及びゲート側インタフェース４０間の呼制御信号及び音声信号を相互変換するＯＤＴ側変換部３１と、様々なプログラム等を格納するＯＤＴ側ＲＯＭ３２と、プログラム作業用のＯＤＴ側ＲＡＭ３３と、ＯＤＴ側インタフェース３０全体を制御するＯＤＴ側ＭＰＵ３４とを有している。
【００３４】
ＯＤＴ側変換部３１は、ＰＢＸ用ディジタル呼制御信号を受信すると、このＰＢＸ用ディジタル呼制御信号をＯＤＴ用ディジタル呼制御信号に変換し、このＯＤＴ用ディジタル呼制御信号をゲート側インタフェース４０に伝送する機能と、ＰＢＸ用ディジタル音声信号を受信すると、このＰＢＸ用ディジタル音声信号をＯＤＴ用ディジタル音声信号に変換し、このＯＤＴ用ディジタル音声信号をゲート側インタフェース４０に伝送する機能と、ゲート用ディジタル呼制御信号を受信すると、このゲート用ディジタル呼制御信号をＰＢＸ用ディジタル呼制御信号に変換する機能と、ゲート用ディジタル音声信号を受信すると、このゲート用ディジタル音声信号をＰＢＸ用ディジタル音声信号に変換する機能とを有している。
【００３５】
ゲート側インタフェース４０は、ＯＤＴ側インタフェース３０及びＬＡＮインタフェース２１間の呼制御信号及び音声信号を相互変換するゲート側変換部４１と、音声信号を圧縮又は伸長するＤＳＰ４２と、様々なプログラム等を格納するゲート側ＲＯＭ４３と、プログラム作業用のゲート側ＲＡＭ４４と、ゲート側インタフェース４０全体を制御するゲート側ＭＰＵ４５とを有している。
【００３６】
ゲート側変換部４１は、ＯＤＴ用ディジタル呼制御信号を受信すると、このＯＤＴ用ディジタル呼制御信号をＩＰ用ディジタル呼制御信号に変換する機能と、ＯＤＴ用ディジタル音声信号を受信すると、このＯＤＴ用ディジタル音声信号をＩＰ用ディジタル音声信号に変換する機能と、ＩＰ用ディジタル呼制御信号を受信すると、このＩＰ用ディジタル呼制御信号をゲート用ディジタル呼制御信号に変換する機能と、ＩＰ用ディジタル音声信号を受信すると、このＩＰ用ディジタル音声信号をゲート用ディジタル音声信号に変換する機能とを有している。
【００３７】
ＤＳＰ４２は、ＬＡＮインタフェース２１でパケット分解したＩＰ用ディジタル音声信号を伸長することで、この伸長したＩＰ用ディジタル音声信号をゲート側変換部４１に伝送する機能と、ゲート側変換部４１で変換したＩＰ用ディジタル音声信号を圧縮することで、この圧縮したＩＰ用ディジタル音声信号をＬＡＮインタフェース２１に伝送する機能とを有している。
【００３８】
また、ゲート側変換部４１は、ＯＤＴ側変換部３１のクロック信号に基づいて、ゲート側インタフェース４０及びＯＤＴ側インタフェース３０間の同期を図っているものとする。
【００３９】
また、このＶｏＩＰＴ２０は、複数のＩＰアドレスが付与されているものとする。
【００４０】
図４はＶｏＩＰＴ２０のＲＡＭ２５のメモリ内容を示す説明図である。
【００４１】
図４においてＲＡＭ２５は、これら複数のＩＰアドレス２５Ａと、ＯＤＴ側インタフェース３０に接続する複数の電話回線に関わる回線番号（電話番号）２５Ｂと、その回線番号の使用状況２５Ｃとを夫々対応づけて記憶しているものとし、例えばＩＰアドレスが“１００”とすると、ＭＰＵ２６は、そのＩＰアドレスに対応する電話回線の回線番号“０”を検索し、この回線番号“０”の使用状況が通話中であることを認識することができる。
【００４２】
尚、請求項記載の記憶手段はＲＡＭ２５、検索手段及び制御手段はＭＰＵ２６、交換機インタフェースはＯＤＴ側インタフェース３０、ＩＰインタフェースはゲート側インタフェースに相当するものである。
【００４３】
次に本実施の形態を示す電話交換システム１の動作について説明する。
【００４４】
まず、ＶｏＩＰＴ２０におけるＩＰ網２への発信時における動作について説明する。
【００４５】
ＶｏＩＰＴ２０のＯＤＴ側インタフェース３０のＯＤＴ側変換部３１は、ＰＢＸ１０側からのＰＢＸ用ディジタル呼制御信号を受信すると、このＰＢＸ用ディジタル呼制御信号をＯＤＴ用ディジタル呼制御信号に変換し、このＯＤＴ用ディジタル呼制御信号をゲート側インタフェース４０に伝送する。
【００４６】
ゲート側インタフェース４０のゲート側変換部４１は、ＯＤＴ用ディジタル呼制御信号を受信すると、このＯＤＴ用ディジタル呼制御信号をＩＰ用ディジタル呼制御信号に変換し、このＩＰ用ディジタル呼制御信号をＬＡＮインタフェース２１に伝送する。
【００４７】
ＬＡＮインタフェース２１は、このＩＰ用ディジタル呼制御信号をパケット化し、このパケット化した呼制御信号を、ルータ３を通じてＩＰ網２の対向装置に伝送する。従って、対向装置では、この呼制御信号に基づいて呼設定を行うことになる。
【００４８】
ＯＤＴ側変換部３１は、ＰＢＸ１０側からのＰＢＸ用ディジタル音声信号を受信すると、このＰＢＸ用ディジタル音声信号をＯＤＴ用ディジタル音声信号に変換し、このＯＤＴ用ディジタル音声信号をゲート側インタフェース４０に伝送する。
【００４９】
ゲート側インタフェース４０のゲート側変換部４１は、ＯＤＴ用ディジタル音声信号を受信すると、このＯＤＴ用ディジタル音声信号をＩＰ用ディジタル音声信号に変換し、このＩＰ用ディジタル音声信号をＤＳＰ４２に伝送する。ＤＳＰ４２は、このＩＰ用ディジタル音声信号を圧縮する。ＬＡＮインタフェース２１は、このＤＳＰ４２で圧縮したＩＰ用ディジタル音声信号をパケット化し、このパケット化した音声信号を、ルータ３を通じてＩＰ網２の対向装置に伝送する。
【００５０】
次にＶｏＩＰＴ２０におけるＩＰ網２からの受信時における動作について説明する。
【００５１】
ＶｏＩＰＴ２０のＬＡＮインタフェース２１は、ルータ３からパケット化された呼制御信号を受信すると、この呼制御信号をパケット分解してＩＰ用ディジタル呼制御信号を出力する。
【００５２】
ゲート側インタフェース４０のゲート側変換部４１は、ＩＰ用ディジタル呼制御信号をゲート用ディジタル呼制御信号に変換して、このゲート用ディジタル呼制御信号をＯＤＴ側インタフェース３０に伝送する。
【００５３】
ＯＤＴ側インタフェース３０のＯＤＴ側変換部３１は、ゲート用ディジタル呼制御信号をＰＢＸ用ディジタル呼制御信号に変換し、このＰＢＸ用ディジタル呼制御信号をＰＢＸ１０に伝送する。従って、ＰＢＸ１０側では、このＰＢＸ用ディジタル呼制御信号を受信すると、このＰＢＸ用ディジタル呼制御信号に基づいて、通常の呼制御受信としてみなして呼設定を行うことになる。
【００５４】
さらに、ＬＡＮインタフェース２１は、ルータ３からパケット化された音声信号を受信すると、この音声信号をパケット分解してＩＰ用ディジタル音声信号を出力する。ＤＳＰ４２は、このＩＰ用ディジタル音声信号を伸長する。
【００５５】
ゲート側変換部４１は、この伸長したＩＰ用ディジタル音声信号をゲート用ディジタル音声信号に変換して、このゲート用ディジタル音声信号をＯＤＴ側インタフェース３０に伝送する。
【００５６】
ＯＤＴ側インタフェース３０のＯＤＴ側変換部３１は、このゲート用ディジタル音声信号を受信すると、このゲート用ディジタル音声信号をＰＢＸ用ディジタル音声信号に変換し、このＰＢＸ用ディジタル音声信号をＰＢＸ１０に伝送する。従って、ＰＢＸ１０側では、このＰＢＸ用ディジタル音声信号を受信すると、通常の音声受信としてみなすことになる。
【００５７】
次に本実施の形態を示す電話交換システム１のＶｏＩＰ着信処理について説明する。図５はＶｏＩＰＴ２０のＶｏＩＰ着信処理に関わるＭＰＵ２６の処理動作を示すフローチャートである。
【００５８】
図５に示すＶｏＩＰ着信処理とは、ＰＢＸ１０で収容する複数の内線電話機４（回線番号）の内、ＶｏＩＰ着信対象の内線電話機４（回線番号）をＩＰ網２側の発信端末としての対向装置から特定することができる処理である。
【００５９】
図５においてＭＰＵ２６は、ＬＡＮインタフェース２１を通じてＩＰ網２の対向装置からＩＰアドレスを受信したか否かを判定する（ステップＳ１１）。ＭＰＵ２６は、ＩＰアドレスを受信したのであれば、このＩＰアドレスに対応する回線番号を図４に示すＲＡＭ２５のメモリ内容から検索する（ステップＳ１２）。
【００６０】
ＭＰＵ２６は、この検索結果に基づいて、ＩＰアドレスに対応する回線番号がＲＡＭ２５内にあるか否かを判定する（ステップＳ１３）。ＭＰＵ２６は、このＩＰアドレスに対応する回線番号があると判定されると、この回線番号に対応する使用状況をＲＡＭ２５から検索し、この回線番号に対応する使用状況が空きであるか否かを判定する（ステップＳ１４）。
【００６１】
ＭＰＵ２６は、同回線番号に対応する使用状況が空きであると判定されると、この回線番号をＶｏＩＰ着信対象の内線電話機４と判断し、この内線電話機４に対して着信動作を実行し（ステップＳ１５）、この処理動作を終了する。
【００６２】
また、ステップＳ１４にて同回線番号に対応する使用状況が空きでないと判定されると、この回線番号以外に他の回線番号があるか否かを判定する（ステップＳ１６）。他の回線番号があると判定されると、この回線番号に対応する使用状況が空きであるか否かを認識すべく、ステップＳ１４に移行する。尚、ステップＳ１６の処理動作は、ＩＰ網２側の発信者端末が特定した内線電話機４ではないものの、なるべく他の内線電話機４に接続するようにユーザの使い勝手を考慮したものである。
【００６３】
また、ステップＳ１６にて他の回線番号がないと判定されると、同回線番号に対応するＶｏＩＰ着信動作が実行できない旨を対向装置側に通知すべく、着信不可動作を実行して（ステップＳ１７）、この処理動作を終了する。
【００６４】
また、ステップＳ１１にてＩＰアドレスが受信されてないと判定されるか、又はステップＳ１３にてＩＰアドレスに対応する回線番号がないと判定されると、この処理動作を終了する。
【００６５】
本実施の形態によれば、ＶｏＩＰＴ２０のゲート側インタフェース４０に付与された複数のＩＰアドレスと、ＯＤＴ側インタフェース３０に接続する複数の内線電話機４に関わる回線番号とを夫々対応づけてＲＡＭ２５に記憶しておき、ゲート側インタフェース４０を通じてＩＰ網２からのＩＰアドレスを受信すると、このＩＰアドレスに対応した回線番号をＲＡＭ２５から検索し、この検索された回線番号に関わる内線電話機４へのＶｏＩＰ着信動作を実行するようにしたので、回線番号毎にＩＰアドレスを付与することで、ＯＤＴ側インタフェース３０に接続する複数の内線電話機４の内、ＶｏＩＰ着信対象の内線電話機４をＩＰ網２側の発信端末から特定することができる。
【００６６】
また、本実施の形態によれば、ＯＤＴ側インタフェース３０及びゲート側インタフェース４０を１パッケージ化したＶｏＩＰＴ２０をＰＢＸ１０に内蔵することで、従来技術のようにＶｏＩＰゲートウェイをＰＢＸに外付した場合に比較して設置スペースを削減することができ、さらに、従来技術のようなＯＤＴ及びＶｏＩＰゲートウェイ間における２回の音声信号及び呼制御信号のアナログ変換を無くすことで、音声品質の低下及び、遅延の発生を防止することができる。
【００６７】
【発明の効果】
上記のように構成された本発明のＶｏＩＰトランク装置によれば、ＩＰインタフェースに付与された複数のＩＰアドレスと、交換機インタフェースに接続する複数の電話回線に関わる電話番号とを夫々対応づけて記憶手段に記憶しておき、ＩＰインタフェースを通じてＩＰ網からのＩＰアドレスを受信すると、このＩＰアドレスに対応した電話番号を記憶手段から検索し、この検索された電話番号に関わる電話回線への着信動作を実行するようにしたので、電話回線（内線電話機）毎にＩＰアドレスを付与することで、交換機インタフェースに接続する複数の電話回線（内線電話機）の内、ＶｏＩＰ着信対象の電話回線（内線電話機）をＩＰ網側（ＩＰ網側の発信端末）から特定することができる。
【図面の簡単な説明】
【図１】本発明のＶｏＩＰトランク装置における実施の形態を示す電話交換システム内部の概略構成を示すブロック図である。
【図２】本実施の形態に関わる要部であるＶｏＩＰトランク装置内部の概略構成を示すブロック図である。
【図３】同要部であるＶｏＩＰトランク装置の要部を示すＩＰＴインタフェース内部の概略構成を示すブロック図である。
【図４】同要部であるＶｏＩＰトランク装置のＲＡＭ内部のＶｏＩＰ着信処理に関わるメモリ内容を示す説明図である。
【図５】同要部であるＶｏＩＰトランク装置のＶｏＩＰ着信処理に関わるＭＰＵの処理動作を示すフローチャートである。
【図６】従来技術のＶｏＩＰを利用した電話交換システム内部の概略構成を示すブロック図である。
【図７】従来技術のＶｏＩＰを利用した電話交換システムの要部であるＯＤＴ及びＶｏＩＰゲートウェイ内部の概略構成を示すブロック図である。
【符号の説明】
２  ＩＰ網
１０  電話交換機（ＰＢＸ）
２０  ＶｏＩＰトランク装置（ＶｏＩＰＴ）
２５  ＲＡＭ（記憶手段）
２６  ＭＰＵ（検索手段、制御手段）
３０  ＯＤＴ側インタフェース（交換機インタフェース）
４０  ゲート側インタフェース（ＩＰインタフェース）
【図１】
0004247551.tif 000002
【図２】
0004247551.tif 000003
【図３】
0004247551.tif 000004
【図４】
0004247551.tif 000005
【図５】
0004247551.tif 000006
【図６】
0004247551.tif 000007
【図７】
0004247551.tif 000008